(57)【特許請求の範囲】
【請求項１】
本体に設けられた吸気口及び排気口と、該排気口と吸気口とを連通する空気流路と、該空気流路に配設された蒸発器と、該蒸発器に冷媒を循環させる圧縮機と、前記蒸発器で発生した結露水を貯留すると共に、前記本体に着脱自在に装着される排水タンクと、該排水タンク上面を覆うと共に、排水用の開口部を有するカバーとを備え、前記開口部は、前記排水タンクの内壁面近傍に配置し、前記開口部の内壁面側周縁から対向する他辺側に向かって下方に向かって斜めに延設する水防壁を形成し、該水防壁の先端部は、前記開口部の他辺の略真下まで延設し、且つ前記排水タンクの満水水位よりも上方に位置させたことを特徴とする空気調和機。
【発明の詳細な説明】
【０００１】
【発明の属する技術分野】
本発明は、室内空気を除湿する除湿機能を有する空気調和機に関する。
【０００２】
【従来の技術】
従来、この種の空気調和機に装着された排水タンクは、特開２００１−２０８３７２号公報（Ｆ２４Ｆ  １／００）に記載されているように、排水タンクの上面カバーに排水タンク底面方向に複数のリブを延設することで、本体から排水タンクを引き出したとき、この排水タンクに慣性力が働いて水が移動しようとしても、リブによって水の移動が抑制されるため、排水用開口部から水がこぼれにくい構成となっている。
【０００３】
しかしながら、上記構成では、リブの先端を少なくとも満水水位よりも低い位置まで延設しなければならないことから、リブの長さが長くなり加工が困難で強度も弱くなるとともに、水位が上がってくるとリブが浸水するため、水アカがリブの表面に付着し、清掃に手間がかかるという問題があった。
【０００４】
【発明が解決しようとする課題】
本発明は、排水タンクに溜まった水を簡単な構成で排水タンクの外にこぼれることを防止できる空気調和機を提供することを課題とする。
【０００５】
【課題を解決するための手段】
本発明は、本体に設けられた吸気口及び排気口と、該排気口と吸気口とを連通する空気流路と、該空気流路に配設された蒸発器と、該蒸発器に冷媒を循環させる圧縮機と、前記蒸発器で発生した結露水を貯留すると共に、前記本体に着脱自在に装着される排水タンクと、該排水タンク上面を覆うと共に、排水用の開口部を有するカバーとを備え、前記開口部は、前記排水タンクの内壁面近傍に配置し、前記開口部の内壁面側周縁から対向する他辺側に向かって下方に向かって斜めに延設する水防壁を形成し、該水防壁の先端部は、前記開口部の他辺の略真下まで延設し、且つ前記排水タンクの満水水位よりも上方に位置させたことを特徴とする。
【０００６】
上記構成によって、前記吸気口から吸い込まれた空気は、前記蒸発器で除湿された後、前記排気口から乾燥した空気を吹き出し、前記蒸発器で除湿された水は、前記排水タンクに貯水される。そして、前記排水タンク内の水を捨てる際、前記排水タンクを本体から引き出したとき、慣性力によって移動する水が前記排水タンクの内壁面に衝突して飛散しても、前記水防壁が前記排水タンクの内壁面の近くにあるので、この飛散した水を前記水防壁に衝突させて阻止できるため、前記開口部の外に水がこぼれることを防止できる。また、前記水防壁の先端部は、前記開口部の内壁面側周縁と対向する他辺の略真下まで延設しているので、前記開口部を前記水防壁が塞いだ状態となり、前記開口部から水が飛び出ることを確実に防止できる。更に、前記水防壁は、前記排水タンクの満水時でも浸水しないので、前記水防壁の表面に水アカが付着することがなく、清掃が簡単にできるとともに、前記水防壁の長さも短くできるので、容易に加工でき、強度を増すことができる。
【００１６】
【発明の実施の形態】
本発明の一実施例の形態を図１乃至図５に基づいて以下に詳述する。
【００１７】
１は、上方から見て前後方向に長い矩形状の本体で、一対のケース２、３及び底板４とから構成されている。
【００１８】
５は、前記本体１内を上部室６と下部室７との２室に仕切る仕切板である。
【００１９】
８は、前記本体１の前面と後面に形成された吸気口、９は、前記本体１上面に形成された排気口、１０は、前記吸気口８と排気口９とを連通する空気流路である。
【００２０】
１１は、前記空気流路１０に配設された送風機で、モータ１２とファン１３とから構成され、前記吸気口８から空気を吸い込み、前記空気流路１０を介して前記排気口９から排気するようになっている。
【００２１】
１４は、前記送風機１１より上流側に配設された熱交換部で、蒸発器１５と該蒸発器１５の下流側に配設された凝縮器１６とから構成され、前記仕切板５上面に立設された支持部１７と一方の前記ケース２に形成された保持部１８により固定されている。
【００２２】
１９は、前記本体１上面に起倒自在に設けられた取手、２０は、前記下部室７を収納室２１と機械室２２の２室に区画する区画板である。前記収納室２１は、前記本体１に形成された装着口２３を介して着脱自在に装着される後述の排水タンク２７を収納し、機械室２２は、後述する圧縮機２４を収納するようになっている。
【００２３】
２４は、前記機械室２２内に配設された圧縮機で、前記凝縮器１６及び前記蒸発器１５と図示しない配管により連結され、凝縮器１６及び蒸発器１５に冷媒を循環させるようになっている。
【００２４】
前記圧縮機２４によって凝縮器１６及び蒸発器１５に冷媒を循環させることにより、凝縮器１６で熱の放出動作、蒸発器１５で熱の吸収動作を行うため、前記吸気口８から前記本体１内に吸い込まれた空気は、蒸発器１５を通過する際に冷やされ、空気中の水分が蒸発器１５表面に結露することにより除湿され、凝縮器１６を通過する際に暖められて相対湿度を低下させて前記排気口９から排気される。前記蒸発器１５表面に付着した結露水は、前記仕切板５に滴下する。
【００２５】
２５は、前記蒸発器１５下方の仕切板５に形成された凹所で、前記蒸発器１５から仕切板５上に滴下した結露水が集まるようになっている。そして、この結露水は、前記凹所２５の略中央に形成された排水孔２６から排出される。
【００２６】
２７は、前記収納室２１に装着口２３から着脱自在に収納される排水タンクで、前記仕切板５上に滴下した結露水が前記排水孔２６を介して前記排水タンク２７へ案内されるようになっている。
【００２７】
２８は、前記排水タンク２７上面を覆うカバーで、該カバー２８の後方側の左右両端には、前記排水タンク２７に溜まった結露水を排出するための四角形の開口部２９が形成され、右側の前記開口部２９は、前記排水孔２６に対向する位置に設けられ、排水孔２６から滴下する結露水を前記排水タンク２７内に案内するようになっている。
【００２８】
３０は、前記排水タンク２７の前記開口部２９の内壁面２７ａ側の一辺２９ａから下方に向かって斜めに延設された傾斜板で、該傾斜板３０は、図４に示すように前記排水タンク２７の着脱方向と同方向で、水平面に対し約４５度傾けられて形成されている。また、先端部３０ａに行くほど前記内壁面２７ａとの間隔が広がるようになっている。また、前記先端部３０ａは、前記開口部２９の一辺２９ａと対向する他辺２９ｂの略真下に位置し、且つ、前記排水タンク２７の満水水位よりも上方に位置するようになっている。
【００２９】
更に、前記傾斜板３０の両端側には、前記開口部２９の周縁とをつなぐ側壁３０ｂが形成されており、前記開口部２９の他辺２９ｂと前記先端部３０ａ、前記側壁３０ｂとによって形成された開口が、前記開口部２９と連通して形成されている。
【００３０】
このように前記側壁３０ｂを設けることによって、前記排水タンク２７を引き出したときに、横方向に飛散する水の動きを止めることができ、また、横方向からの水が前記排水タンク２７外へもれることを防止できる。
【００３１】
また、本実施例では、前記傾斜板３０と側壁３０ｂとは略直角に接合して構成したが、図６に示すように、前記開口部２９周縁の他辺２９ｂを残して湾曲状の湾曲壁４０を接合するようにしても構わない。
【００３２】
前記排水タンク２７には、図示しない満水検知手段が設けられており、前記排水タンク２７内に結露水が所定水位まで溜まったことを検知し、満水状態を報知するとともに、前記圧縮機２４の運転を停止するようになっている。
【００３３】
３１は、前記排水タンク２７の前方底面側に設けられた把手で、該把手３１を手で持って前記排水タンク２７を前記本体１から取り外して、前記開口部２９が下側になるように前記排水タンク２７を傾けると、前記排水タンク２７に溜まった結露水を前記開口部２９から簡単に排水できるようになっている。この際、前記排水タンク２７を右側、もしくは左側に傾けても、前記開口部２９が左右どちらにもあるので、溜まった水をどとらか一方の開口部より排水することができる。
【００３４】
３２は、前記排水タンク２７の装着口２３が形成された面の前記本体１上方に設けられた操作部で、運転・停止を行うスイッチ３３、図示しない運転状態を表示する表示部及び前記排水タンク２７の満水状態を検知した際に報知する満水表示部等が配設されている。
【００３５】
次に、上記構成における動作について説明する。
【００３６】
操作部３２のスイッチ３３を操作すると、室内の空気は、モータ１２の駆動により本体１に設けられた吸気口８から本体１内に取り込まれ、蒸発器１５で結露することにより除湿され、凝縮器１６で暖められた後、排気口９から室内に戻される。
【００３７】
蒸発器１５で結露した水分は水滴となって仕切板５上に滴下し、仕切板５に形成された排水孔２６及びカバー２８に形成された開口部２９を介して排水タンク２７に流れ落ちる。排水タンク２７内に結露水が所定量溜まると、図示しない制御部が圧縮機２４の運転を停止させると共に、図示しない満水表示部を点灯させて排水タンク２７内が満水状態であることを報知する。
【００３８】
そして、排水タンク２７を本体１から引き出す際に、排水タンク２７内に溜まった水が慣性力により移動して内壁面２７ａに衝突して飛散するが、この水は、図４に示すように傾斜板３０に衝突し、更に、横に飛散する水も側壁３０ｂによって止められるので、開口部２９から飛び出そうとする水が阻止される。また、傾斜板３０の先端部３０ａ付近に衝突する水は減速して衝突するので、衝撃が緩和されて水の再飛散を抑制できるため、開口部２９から水が飛び出して排水タンク２７の外にこぼれること防止できる。また、傾斜板３０の先端部３０ａは、排水タンク２７が満水になっても浸水しないので、傾斜板３０の表面に水アカが付着することがなく、加えて、傾斜板３０の長さも短くできるので、加工が容易で強度も向上する。更に、傾斜板３０の先端部３０ａは、開口部２９の一辺２９ａと対向する他辺２９ｂの略真下に位置するので、開口部２９を傾斜板３０が塞いだ状態となり、開口部２９から水が飛び出ることを確実に防止できる。
【００３９】
そして、使用者は、把手３１を持って、開口部２９が下側になるように排水タンク２７を傾けると、排水タンク２７に溜まった結露水を開口部２９から簡単に排水できる。排水タンク２７内の水を捨てた後、再び本体１内に排水タンク２７を装着すると、満水状態が解消され、再び除湿動作が開始される。
【００４０】
以上のように、前記傾斜板３０を前記開口部２９周縁から下方に向かって斜めに延設し、前記先端部３０ａが前記排水タンク２７の満水水位よりも上方に位置させたので、前記排水タンク２７を前記本体１から引き出したとき、慣性力によって移動する水が前記排水タンク２７の内壁面２７ａに衝突して飛散しても、この水は、前記開口部２９から飛び出る前に前記傾斜板３０に衝突するため、前記開口部２９から水が飛び出して前記排水タンク２７の外に水がこぼれることがない。また、前記傾斜板３０は、前記排水タンク２７が満水になっても浸水しないので、前記傾斜板３０の表面に水アカが付着することがなく、清掃が簡単にできるとともに、前記傾斜板３０の長さも短くできるので、容易に加工できるという効果がある。
【００４１】
また、前記開口部３０は、四角形状に形成して前記排水タンク２７の内壁面２７ａ近傍に配置し、前記傾斜板３０は、前記排水タンク２７の着脱方向と同方向に傾斜し、前記内壁面２７ａ側の前記開口部３０の一辺３０ａから下方に向かって延設されたので、前記排水タンク２７の着脱方向に強い慣性力が働いて、水が勢いよく前記排水タンク２７の内壁面２７ａに衝突しても、前記傾斜板３０が前記排水タンク２７の内壁面２７ａの近くにあり、前記開口部２９から飛び出ようとする水を確実に阻止できるという効果がある。
【００４２】
また、前記傾斜板３０は、先端部にいくほど前記内壁面２７ａとの間隔が広くなるように傾斜させたので、飛散した水が前記傾斜板３０の先端部３０ａ付近に衝突するときは、水の勢いも減速するため、前記傾斜板３０で再び水が飛散することがなくなり、水が前記開口部２９から飛び出すことを確実に防止できるという効果がある。
【００４３】
また、前記傾斜板３０の先端部３０ａは、前記開口部２９の一辺２９ａと対向する他辺２９ｂの略真下まで延設したので、前記開口部２９を前記傾斜板３０が塞いだ状態となり、前記開口部２９から水が飛び出ることを防止できるという効果がある。
【００４４】
また、前記傾斜板３０の両側端と前記開口部２９周縁とをつなぐ前記側壁３０ｂを形成したので、横から跳ね上がる水も前記側壁３０ｂによって止められ、前記開口部２９から水が飛び出ることを防止できるという効果がある。
【００４５】
また、前記排水タンク２７の前方底面側に把手３１を設け、前記開口部２９は、前記排水タンク２７の後方側に配置させたので、前記把手３１を持って前記開口部２９が下側になるように前記排水タンク２７を傾けるだけで、前記排水タンク２７に溜まった水を前記開口部２９から簡単に排水することができ、使い勝手を向上させることができるという効果がある。
【００４６】
また、前記開口部２９を前記カバー２８の両端に設けたので、排水時に前記排水タンク２７を右側、もしくは左側に傾けても、前記開口部２９が左右どちらにもあるので、溜まった水をどとらか一方の開口部より排水することができ、使い勝手を向上せることができるという効果がある。
【００４７】
また、前記排水タンク２７の結露水が満水水位に達したとき、前記圧縮機２４の運転を停止するので、前記排水タンク２７の水位が満水水位よりも上がることがないため、前記傾斜板３０の浸水による水アカの付着を防止でき、清掃が簡単にできるという効果がある。
【００４８】
本発明の請求項１によると、排水タンク上面を覆うと共に、排水用の開口部を有するカバーとを備え、前記開口部は、前記排水タンクの内壁面近傍に配置し、前記開口部の内壁面側周縁から対向する他辺側に向かって下方に向かって斜めに延設する水防壁を形成し、該水防壁の先端部は、前記開口部の他辺の略真下まで延設し、且つ前記排水タンクの満水水位よりも上方に位置させたので、前記排水タンクに慣性力が働いたとき、前記排水タンク内の内壁面に衝突して飛散した水は、前記開口部から飛び出る前に前記水防壁に衝突するため、前記開口部から水が飛び出して前記排水タンクの外に水がこぼれることを防止できる。また、前記水防壁の先端部は、前記開口部の内壁面側周縁と対向する他辺の略真下まで延設しているので、前記開口部を前記水防壁が塞いだ状態となり、前記開口部から水が飛び出ることを確実に防止できる。更に、前記水防壁は、前記排水タンクが満水になっても浸水しないので、前記水防壁の表面に水アカが付着することがなく、清掃が簡単にできるとともに、前記水防壁の長さも短くできるので、容易に加工でき強度も向上する等の効果を奏する。
【図面の簡単な説明】
【図１】本発明の一実施例を示す除湿機の本体正面図である。
【図２】同除湿機の側面断面図である。
【図３】同除湿機の前面断面図である。
【図４】同除湿機の要部拡大図である。
【図５】同除湿機の排水タンクにカバーを覆わせた時の上面図である。
【図６】本発明の他の実施例を示す除湿機の要部拡大図である。
【符号の説明】
１          本体
８          吸気口
９          排気口
１５        蒸発器
２４        圧縮機
２７        排水タンク
２９        開口部
２８        カバー
３０ａ      先端部
３０        傾斜板（水防壁）
２９ａ      開口部の一辺
２９ｂ      開口部の他辺
３０ｂ      側壁
４０        湾曲壁（水防壁）
３１        把手
【図１】
0003851172.tif 000002
【図２】
0003851172.tif 000003
【図３】
0003851172.tif 000004
【図４】
0003851172.tif 000005
【図５】
0003851172.tif 000006
【図６】
0003851172.tif 000007